(57)【要約】【課題】  空気調整機器において、就寝者の枕元等に機器を置いた場合に身体が当たっても機器が転倒しないようにし、液状組成物が漏出しないようにする。【解決手段】  空気調整機器１は、液状組成物３１を蒸発させてその有効成分を室内空気中に浮遊させるものであり、外装ケース２が下部体２１と上蓋体２２とから成り、略ダルマ形状とされ、下部体２１が金属重量物で成り、かつ、その底面形状が半球面とされ、機器全体の重心が下方部位になるように構成されている。これにより、機器使用時に、機器が転倒しないので、液状組成物３１が漏出することがなくなる。液状組成物３１は、有効成分として食欲抑制剤を含有しているものが好ましい。【選択図】図２
0003128958.tif 000002
【実用新案登録請求の範囲】
【請求項１】
液状組成物を蒸発させてその有効成分を室内空気中に浮遊させる空気調整機器において、
液状組成物が充填された薬用容器と、
液状組成物を加熱するヒータと、
蒸発した液状組成物の有効成分を室内空気中に送出するファンと、
前記薬用容器、ヒータ及びファンを内装した外装ケースと、を備え、
前記外装ケースは、略ダルマ形状とされ、下部体と上蓋体とから成り、
前記下部体は金属重量物で成り、かつ、その底面形状が半球面とされ、
前記上蓋体は樹脂材料で成り、機器全体の重心が下方部位になるように構成されていることを特徴とする空気調整機器。
【請求項２】
前記液状組成物は、有効成分として食欲抑制剤を含有していることを特徴とする請求項１に記載の空気調整機器。
【考案の詳細な説明】
【技術分野】
【０００１】
本発明は、液状組成物を蒸発させてその有効成分を室内空気中に浮遊させる空気調整機器に関する。
【背景技術】
【０００２】
従来から、液状組成物を蒸発させてその有効成分を室内空気中に浮遊させる空気調整機器として芳香器が知られている。この種の機器において、機器が転倒したときに液状組成物が外部に漏出しないようにしたものが知られている（例えば、特許文献１参照）。
【特許文献１】特開２００１−１４９４５８号公報
【考案の開示】
【考案が解決しようとする課題】
【０００３】
ところが、このような転倒対策を施した機器にあっても、徐々に液状組成物が漏出することがある。特に、ユーザが就寝時に使用するに適した機器、例えば、有効成分として食欲抑制剤を含有した液状組成物を蒸発させる空気調整機器にあっては、可能な限り就寝者の枕元等に機器を置くことが効果的であるが、その場合、就寝者は睡眠中に身体を動かして、無意識に機器を引っ繰り返し易く、問題があった。
【０００４】
本考案は、このような問題を解消するものであり、就寝者の枕元等に機器を置いた場合に身体が当たっても機器が転倒しないようにし、液状組成物が漏出しないようにした空気調整機器を提供することを目的とする。
【課題を解決するための手段】
【０００５】
本考案は、上記目的を達成するために成されたものであり、液状組成物を蒸発させてその有効成分を室内空気中に浮遊させる空気調整機器において、液状組成物が充填された薬用容器と、液状組成物を加熱するヒータと、蒸発した液状組成物の有効成分を室内空気中に送出するファンと、前記薬用容器、ヒータ及びファンを内装した外装ケースと、を備え、前記外装ケースは、略ダルマ形状とされ、下部体と上蓋体とから成り、前記下部体は金属重量物で成り、かつ、その底面形状が半球面とされ、前記上蓋体は樹脂材料で成り、機器全体の重心が下方部位になるように構成されているものである。
また、前記液状組成物は、有効成分として食欲抑制剤を含有しているものが好ましい。
【考案の効果】
【０００６】
本考案によれば、機器使用時に、機器に身体が当たっても、機器が転倒しないので、液状組成物が漏出することがなくなる。
特に、有効成分として食欲抑制剤を含有している液状組成物を蒸発させる機器の場合、機器が就寝者の枕元等に置かれて使用されても問題がなく、有効成分をユーザに効率的に与えることができ、食欲抑制効果を高めることができる。
【考案を実施するための最良の形態】
【０００７】
以下、本考案の一実施形態に係る空気調整機器について図１、図２を参照して説明する。
空気調整機器１は、液状組成物を蒸発させてその有効成分を室内空気中に浮遊させるものであり、略ダルマ形状とされた外装ケース２を備える。外装ケース２は、互いに嵌合係止される下部体２１と上蓋体２２とから成る。外装ケース２内には、液状組成物３１が充填された薬用容器３と、この液状組成物３１を加熱するヒータ４と、蒸発した液状組成物３１の有効成分を室内空気中に送出するファン５とが内装固定されている。薬用容器３は、上面に開口を持ち、この開口には、液状組成物３１を毛細管現象により蒸発させるための芯３２が設けられている。ヒータ４は、下部体２１の上面付近に固定され、このヒータ４上に薬用容器３が着脱自在に取り付けられる。ファン５は、モータ駆動式であり、薬用容器３の側方に配置される。
【０００８】
外装ケース２は、その下部体２１が鉄、鉛等の金属重量物で成り、かつ、その底面形状が半球面とされており、上蓋体２２が樹脂材料で成り、機器全体の重心が下方部位になるように構成されている。上蓋体２２には、空気吸入口２２ａと、空気吐出口２２ｂとが設けられている。上蓋体２２は下部体２１に回り止め固定されるようにしておけばよい。下部体２１の内面は凹形状とされ、その凹形状内に、ヒータ４や薬用容器３が納められている。ここに、薬用容器３は、下部体２１の凹形状に対応した形状とされ、下部体２１にビルトインされている。また、外装ケース２からは、ヒータ４及びファン５へ電源をＡＣ電源から供給するための電源コード６が導出されている。なお、ヒータ４及びファン５に電源供給する電源回路は図示を省略している。ファン５は、適宜の固定部材７で下部体２１に固定される。ヒータ４は、薬用容器３を５０〜６０℃程度に加熱できるものでよい。
【０００９】
また、液状組成物３１には、例えば、有効成分として食欲抑制剤を含有しているものを用いる。この場合、空気調整機器１は、ダイエット用の機器として使用される。このような液状組成物３１は、例えば、特許第３８３９８３２号に示されるようなものを用いればよい。
【００１０】
上記のように構成された空気調整機器１は、使用時に、下部体２１を下方に床面上に設置され、ヒータ４に通電されると共にファン５がモータ駆動される。これにより、薬用容器３が加熱され、薬用容器３内の液状組成物３１が蒸発し、蒸発した液状組成物３１の有効成分がファン５により上蓋体２２の空気吐出口２２ｂを通して機器外部に吐出される。ここに、外装ケース２が略ダルマ形状とされ、機器全体の重心が下方部位に構成されているので、機器使用時に、機器にユーザの身体等が当たって転倒しかけても起き上がり、機器が転倒することが防止される。このため、液状組成物３１が漏出することがない。
【００１１】
特に、蒸発させる液状組成物３１の有効成分として食欲抑制剤を含有しているものである場合、機器１が就寝者の枕元等に置かれて使用されても問題がなくなるので、ユーザの睡眠中に、蒸発した液状組成物３１の有効成分を効率的に吸気させることができ、もって、食欲抑制効果を高めることができる。なお、下部体２１の内面の凹形状内にヒータ４や薬用容器３が納められていることが、重心を下方部位に寄せることに寄与する。
【００１２】
本実施形態の一変形例に係る空気調整機器について図３を参照して説明する。この空気調整機器１は、底面が半球形状とされた外装ケース２の下部体２１の凹部内面に、半球殻状の重り２０が固定されている。こり例では、下部体２１自体は樹脂成形物でよい。重り２０の半球殻内部に薬用容器３がビルトインされている。また、薬用容器３の周辺スペースに、ＡＣ電源に代える、内蔵電源としてのバッテリ８がセットされている。
【００１３】
さらに、本実施形態の他の変形例に係る空気調整機器について図４を参照して説明する。この空気調整機器１は、底面が半球形状とされた外装ケース２の下部体２１自体が金属重量物であって、下方内部が肉厚となって、重心を下方部位としている。また、下部体２１の凹部空間内に、モータに対するバランサとしての重り２０が固定されている。内蔵電源としてバッテリを用いる場合は、重り２０に代えて、バッテリが配置されればよい。
【００１４】
なお、本考案は、上記実施形態の構成に限られることなく、考案の趣旨を変更しない範囲で種々の変形が可能である。例えば、液状組成物３１の有効成分として、芳香剤を用いてもよく、また、電源としてバッテリを内蔵したものであっても充電器付きのバッテリを用いたものでもよく、さらには、ランプ付きや目覚し機能付きの機器としてもよい。
【図面の簡単な説明】
【００１５】
【図１】本考案の一実施形態に係る空気調整機器の斜視図。
【図２】同空気調整機器の断面図。
【図３】本実施形態の一変形例に係る空気調整機器の断面図。
【図４】本実施形態の他の変形例に係る空気調整機器の断面図。
【符号の説明】
【００１６】
１  空気調整機器
２  外装ケース
２０  重り
２１  下部体
２２  上蓋体
３  薬用容器
３１  液状組成物
４  ヒータ
５  ファン
【図１】
0003128958.tif 000003
【図２】
0003128958.tif 000004
【図３】
0003128958.tif 000005
【図４】
0003128958.tif 000006